【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
少なくとも画像処理の種類を特定し、かつ当該画像処理の実行を指示するための操作が可能な操作部と、
前記操作部による操作に基づいて、被動作部に電力を供給して、特定された種類の画像処理を実行する画像処理実行手段と、
少なくとも前記操作部による操作に対する案内、操作状況、並びに前記画像処理実行手段で実行される画像処理に関する情報が表示される表示部と、
日毎の前記被動作部の稼働において、消費電力が最大と予測される電力ピーク時間帯を設定する設定手段と、
前記設定手段で設定された電力ピーク時間帯の期間中に、前記操作部による操作で画像処理の実行が指示されるとき、前記表示部を用いて前記電力ピーク時間帯であることを報知するように制御する報知制御手段と、
前記操作部から、前記電力ピーク時間帯であることを認識した上での画像処理を実行する意志のある旨の認識操作があるまで、前記画像処理実行手段に対して画像処理の実行を待機させる待機制御手段と、
を有する画像処理装置。
【請求項２】
前記報知制御手段及び前記待機制御手段が、画像処理手段において、画像情報に基づいて記録用紙に画像を形成する画像形成処理が実行されるときに有効とされる請求項１記載の画像処理装置。
【請求項３】
前記設定手段が、前記日毎の電力ピーク時間帯を複数設定可能であり、かつ、当該設定の開始日と終了日を設定可能である請求項１又は請求項２記載の画像処理装置。
【請求項４】
前記操作部による前記認識操作の操作回数が設定され、当該設定された認識操作の操作回数が計数された時点で、前記認識操作が有効とされる請求項１〜請求項３の何れか１項記載の画像処理装置。
【請求項５】
前記操作部による前記認識操作の操作形態が適宜変更される請求項１〜請求項４の何れか１項記載の画像処理装置。
【請求項６】
前記電力ピーク時間帯に、外部から送信された画像情報を受け付けて画像処理を実行する場合は、当該受け付けた画像情報を蓄積して、前記認識操作があるまで、前記画像処理の実行を待機する請求項１〜請求項５の何れか１項記載の画像処理装置。
【請求項７】
少なくとも原稿から画像読み取る画像読取部、前記画像読取部によって読み取った画像を外部へ送信する外部送信部、前記画像読取部によって読み取った画像情報又は外部から受け付けた画像情報に基づいて画像を形成する画像形成部、を含む前記被動作部に対して、個別に電力供給状態或いは電力遮断状態の何れかの電力状態に遷移させる電力状態遷移手段をさらに有し、
実行される画像処理の種類が特定されたとき、当該画像処理に必要な被動作部に電力を供給する請求項１〜請求項６の何れか１項記載の画像処理装置。
【請求項８】
予め許容する最大電力量を記憶する許容量記憶手段と、
前記操作部により画像処理の種類が特定されたときに、当該特定された画像処理を実行するための電力量を予測する予測手段とをさらに有し、
前記予測手段で予測した電力量が、前記許容量記憶手段に記憶されている最大電力量を超えると判断された場合に、前記報知制御手段及び待機制御手段による制御を実行する請求項１〜請求項７の何れか１項記載の画像処理装置。
【請求項９】
前記設定手段による電力ピーク時間帯の設定を併用するか否かを選択する選択手段をさらに有する請求項８記載の画像処理装置。
【請求項１０】
前記許容量記憶手段に記憶された最大電力量の大小に基づいて、前記操作部による前記認識操作の操作回数を増減する請求項８又は請求項９記載の画像処理装置。
【請求項１１】
電力の供給を受けて稼働する被動作部によって消費される電力量が、最大と予測される日毎の電力ピーク時間帯を設定する設定手段と、
設定された電力ピーク時間帯の期間中に、画像処理の実行が指示されるとき、当該画像処理に関する情報が表示される表示部を用いて、前記電力ピーク時間帯であることを報知するように制御する報知制御手段と、
操作部から、前記電力ピーク時間帯であることを認識した上での画像処理を実行する意志のある旨の認識操作があるまで、前記画像処理の実行を待機させる待機制御手段と、
を有する電力管理制御装置。
【請求項１２】
コンピュータに
電力の供給を受けて稼働する被動作部によって消費される電力量が、最大と予測される日毎の電力ピーク時間帯を設定し、
設定された電力ピーク時間帯の期間中に、画像処理の実行が指示されるとき、当該画像処理に関する情報が表示される表示部を用いて、前記電力ピーク時間帯であることを報知するように制御し、
操作部から、前記電力ピーク時間帯であることを認識した上での画像処理を実行する意志のある旨の認識操作があるまで、
前記画像処理の実行を待機するように制御する、
ことを実行させる電力管理制御プログラム。
【手続補正２】
【補正対象書類名】明細書
【補正対象項目名】発明の名称
【補正方法】変更
【補正の内容】
【発明の名称】画像処理装置、電力管理制御装置、電力管理制御プログラム
【手続補正３】
【補正対象書類名】明細書
【補正対象項目名】０００１
【補正方法】変更
【補正の内容】
【０００１】
本発明は、画像処理装置、電力管理制御装置、電力管理制御プログラムに関する。
【手続補正４】
【補正対象書類名】明細書
【補正対象項目名】０００６
【補正方法】変更
【補正の内容】
【０００６】
本発明は、利用者による画像処理指示操作と連携して、電力ピーク時間帯であることを認識させることができる画像処理装置、電力管理制御装置、電力管理制御プログラムを得ることが目的である。
【手続補正５】
【補正対象書類名】明細書
【補正対象項目名】０００７
【補正方法】変更
【補正の内容】
【０００７】
請求項１に記載の発明は、少なくとも画像処理の種類を特定し、かつ当該画像処理の実行を指示するための操作が可能な操作部と、前記操作部による操作に基づいて、被動作部に電力を供給して、特定された種類の画像処理を実行する画像処理実行手段と、少なくとも前記操作部による操作に対する案内、操作状況、並びに前記画像処理実行手段で実行される画像処理に関する情報が表示される表示部と、日毎の前記被動作部の稼働において、消費電力が最大と予測される電力ピーク時間帯を設定する設定手段と、前記設定手段で設定された電力ピーク時間帯の期間中に、前記操作部による操作で画像処理の実行が指示されるとき、前記表示部を用いて前記電力ピーク時間帯であることを報知するように制御する報知制御手段と、前記操作部から、前記電力ピーク時間帯であることを認識した上での画像処理を実行する意志のある旨の認識操作があるまで、前記画像処理実行手段に対して画像処理の実行を待機させる待機制御手段と、を有している。
請求項２に記載の発明は、前記請求項１に記載の発明において、前記報知制御手段及び前記待機制御手段が、画像処理手段において、画像情報に基づいて記録用紙に画像を形成する画像形成処理が実行されるときに有効とされる。
【手続補正６】
【補正対象書類名】明細書
【補正対象項目名】００１２
【補正方法】変更
【補正の内容】
【００１２】
請求項７に記載の発明は、前記請求項１〜請求項６の何れか１項記載の発明において、少なくとも原稿から画像読み取る画像読取部、前記画像読取部によって読み取った画像を外部へ送信する外部送信部、前記画像読取部によって読み取った画像情報又は外部から受け付けた画像情報に基づいて画像を形成する画像形成部、を含む前記被動作部に対して、個別に電力供給状態或いは電力遮断状態の何れかの電力状態に遷移させる電力状態遷移手段をさらに有し、実行される画像処理の種類が特定されたとき、当該画像処理に必要な被動作部に電力を供給する。
【手続補正７】
【補正対象書類名】明細書
【補正対象項目名】００１３
【補正方法】変更
【補正の内容】
【００１３】
請求項８に記載の発明は、前記請求項１〜請求項７の何れか１項記載の発明において、予め許容する最大電力量を記憶する許容量記憶手段と、前記操作部により画像処理の種類が特定されたときに、当該特定された画像処理を実行するための電力量を予測する予測手段とをさらに有し、前記予測手段で予測した電力量が、前記許容量記憶手段に記憶されている最大電力量を超えると判断された場合に、前記報知制御手段及び待機制御手段による制御を実行する。
【手続補正８】
【補正対象書類名】明細書
【補正対象項目名】００１５
【補正方法】変更
【補正の内容】
【００１５】
請求項１０に記載の発明は、前記請求項８又は請求項９に記載の発明において、前記許容量記憶手段に記憶された最大電力量の大小に基づいて、前記操作部による前記認識操作の操作回数を増減する。
【手続補正９】
【補正対象書類名】明細書
【補正対象項目名】００１６
【補正方法】変更
【補正の内容】
【００１６】
請求項１１に記載の発明は、電力の供給を受けて稼働する被動作部によって消費される電力量が、最大と予測される日毎の電力ピーク時間帯を設定する設定手段と、設定された電力ピーク時間帯の期間中に、画像処理の実行が指示されるとき、当該画像処理に関する情報が表示される表示部を用いて、前記電力ピーク時間帯であることを報知するように制御する報知制御手段と、操作部から、前記電力ピーク時間帯であることを認識した上での画像処理を実行する意志のある旨の認識操作があるまで、前記画像処理の実行を待機させる待機制御手段と、を有する電力管理制御装置である。
【手続補正１０】
【補正対象書類名】明細書
【補正対象項目名】００１７
【補正方法】変更
【補正の内容】
【００１７】
請求項１２に記載の発明は、コンピュータに、電力の供給を受けて稼働する被動作部によって消費される電力量が、最大と予測される日毎の電力ピーク時間帯を設定し、設定された電力ピーク時間帯の期間中に、画像処理の実行が指示されるとき、当該画像処理に関する情報が表示される表示部を用いて、前記電力ピーク時間帯であることを報知するように制御し、操作部から、前記電力ピーク時間帯であることを認識した上での画像処理を実行する意志のある旨の認識操作があるまで、前記画像処理の実行を待機するように制御する、ことを実行させる電力管理制御プログラムである。